(57)【特許請求の範囲】
【請求項１】
引戸と別の引戸の召し合せ部分又は引戸と固定部材の召し合せ部分に取り付けられるものであって、引戸又は固定部材に取り付けられ、先端に折返えし係止部を有する受け板と、固定部材又は引戸に取り付けられる台座と、台座に対し水平軸の回りを回動可能に枢支されたハンドルと、ハンドルに設けられたクレセント片とからなるクレセント錠において、受け板の内側に先端の係止部からある間隔を隔てて突起を設け、一方、正面形が扇形状をなすクレセント片の円弧部分に接続されて前方に向かって立ち上がる湾曲した部材の円弧状の前端縁に、クレセント片から遠い高位平坦部、螺旋状でクレセント片に近接する方向に傾斜する傾斜部及び低位平坦部を連設した第１カムラインを設けて第１カム部を形成し、他方、クレセント片の円弧部分に接続されて後方に向かって立ち上がる湾曲した部材を山形に成形して第２カム部を形成し、この第２カム部に、クレセント片に関し前記高位平坦部と対称的な位置にある平面部、山形の第２カム部の一方の斜面で前記第１カム部の傾斜部とほぼ平行な傾斜部、及び山形の頂点を連設した第２カムラインを形成し、以て、第１カムラインの高位平坦部と傾斜部、及び第２カムラインの平面部と傾斜部との間では、第１及び第２カムラインの間隔が等しくなるようにすると共に、第１及び第２カムラインはハンドルの回動操作時前記の係止部と突起との間に係入できるように設定してあることを特徴とするクレセント錠。
【発明の詳細な説明】
【０００１】
【発明の属する技術分野】
この発明は、引違いの引戸又は片開きの引戸に対して用いられるクレセント錠の改良に関する。
【従来の技術】
通常のクレセント錠、すなわち、引戸と別の引戸の召し合わせ部分又は引戸と固定部材の召し合わせ部分に取り付けられるものであって、引戸又は固定部材に取り付けられ、先端に折返えし係止部を有する受け板と、引戸又は固定部材に取り付けられる台座と、台座に対し水平軸の回りを回動可能に枢支されたハンドルと、ハンドルに設けられたクレセント片とから成るクレセント錠において、ハンドルの回動操作で各引戸を通常の施錠状態又は解錠状態とする他に、各引戸を通気を可能にするためわずかに開放させた半開放状態においても、該引戸を不動な状態で拘束できるようにすることは、防犯上極めて好ましいことである。
【０００２】
そのような従来の引戸用施錠装置としては、例えば実公平５−４２２１９号公報に記載されたものを挙げることができるが、同装置においては、通常のクレセント錠の機構に加えて、引戸の半開放状態において錠止片として作用する専用の係止板、及びその係止板を操作するための専用の摘み等を要し、全体構成が大型にして複雑となってしまうという未解決の問題も残されている。
【０００３】
【発明が解決しようとする課題】
この発明のクレセント錠は、通気のために開放させた半開きの引戸を不動状態で拘束できる機能を有しているにも関わらず、全体としての大きさが通常のクレセント錠とほとんど変りがなく、小型に製作できるようにすることを目的として提案されたものである。
【０００４】
【課題を解決するための手段】
上記の目的を達成するため、この発明によるクレセント錠は、引戸と別の引戸の召し合せ部分又は引戸と固定部材の召し合せ部分に取り付けられるものであって、引戸又は固定部材に取り付けられ、先端に折返えし係止部を有する受け板と、固定部材又は引戸に取り付けられる台座と、台座に対し水平軸の回りを回動可能に枢支されたハンドルと、ハンドルに設けられたクレセント片とからなるクレセント錠において、受け板の内側に先端の係止部からある間隔を隔てて突起を設け、一方、正面形が扇形状をなすクレセント片の円弧部分に接続されて前方に向かって立ち上がる湾曲した部材の円弧状の前端縁に、クレセント片から遠い高位平坦部、螺旋状でクレセント片に近接する方向に傾斜する傾斜部及び低位平坦部を連設した第１カムラインを設けて第１カム部を形成し、他方、クレセント片の円弧部分に接続されて後方に向かって立ち上がる湾曲した部材を山形に成形して第２カム部を形成し、この第２カム部に、クレセント片に関し前記高位平坦部と対称的な位置にある平面部、山形の第２カム部の一方の斜面で前記第１カム部の傾斜部とほぼ平行な傾斜部、及び山形の頂点を連設した第２カムラインを形成し、以て、第１カムラインの高位平坦部と傾斜部、及び第２カムラインの平面部と傾斜部との間では、第１及び第２カムラインの間隔が等しくなるようにすると共に、第１及び第２カムラインはハンドルの回動操作時前記の係止部と突起との間に係入できるように設定してあることを特徴とする。
【０００５】
【発明の実施の形態】
以下、図面に示す実施例に基いてこの発明について説明する。
この発明のクレセント錠は、従来のクレセント錠同様、引違いの引戸又は片引きの引戸のいずれに対しても用いることができる。
【０００６】
言い換えると引戸と別の引戸の召し合せ部分又は引戸と固定部材の召し合せ部分のいずれに対しても用いることができるが、図１及び図２のクレセント錠は引違いの引戸に対して採用した場合を示している。
【０００７】
図１及び図２において、符号１０は一方の引戸、２０は他方の引戸、３０は両引戸の召し合せ部分、矢印Ｐは一方の引戸１０の開放方向、矢印Ｑは他方の引戸２０の開放方向をそれぞれ示している。
【０００８】
通常のクレセント錠は、一方の引戸１０の縦框又は図示しない固定部材に取付ねじ９１で固定され、先端にＵ字状の折返えし係止部１１を有する受け板１と、他方の引戸２０の縦框又は図示しない固定部材に取付ねじ９２等で固定される台座２と、取手３２を有し、台座２に対し水平軸３１の回りを回動可能（揺動可能）に枢支されたハンドル３と、ハンドル３に止めねじ等（図示しない）で固定して設けられたクレセント片４とから成る。
【０００９】
この発明における受け板１の内側には、図３に明示するように、先端の係止部１１から水平方向にある間隔を隔てて例えば円柱状をなす突起１２を別体として又は一体に設ける。前記の突起１２は後述のクレセント片４の第２カム部４４が選択的に当接するものである。
【００１０】
図１、図２及び図４〜図６に示すように、実施例におけるクレセント片４は製作上の理由で２つのクレセント片４１、４２で作られているが、単一のクレセント片として製作してもよい。
【００１１】
図示の第１クレセント片４１と第２クレセント片４２とは底面を背中合わせにするようにしてハンドル３の底部に止めねじ等（図示しない）で一体的に固定してある。
【００１２】
第１クレセント片４１は、図４（Ａ）に示すように、正面形が扇形状をなし、円弧部分には前方に向かって立ち上がる第１カム部４３を有する。この第１カム部４３は受け板１の折返し係止部１１に対応させて設けたものである。
【００１３】
一方、第２クレセント片４２は、図５（Ａ）に示すように、正面形が同様に扇形状をなし、円弧部分の一部に後方に向かって山形に立ち上がる第２カム部４４を有する。但し、第２カム部４４はその一部に第２クレセント片４２の平面部ｄを利用している。この第２カム部４４は受け板１の突起１２に対応させて設けたものである。
【００１４】
前記の第１カム部４３及び第２カム部４４には、図４〜図６に明示するように、互にほぼ平行でらせん状をなす第１カムラインａ、ｂ、ｃ及び第２カムラインｄ、ｅ、ｆがそれぞれ連続的に形成してある。
【００１５】
第１カムラインにおいて、符号ａは高位平坦部、ｂはらせんの主要部を構成する傾斜部、ｃは低位平坦部をそれぞれ示し、また、第２カムラインにおいて、符号ｄは平面部、ｅはらせんの主要部を構成する傾斜部、ｆは山形部分の頂点をそれぞれ示す。
【００１６】
前記の第２カムラインの頂点ｆにおいて連続する別の傾斜部ｇは、ハンドル３を本錠の非作動位置から回動させる時、受け板１の突起１２に対しスムーズに係合させるための案内として作用させるためのものである。
【００１７】
図示例において、２つの部材４１、４２を固定させたクレセント片４はハンドル３を手で回すことによりそのハンドル３と共に例えば約１８０°の角度範囲を回動する。
【００１８】
ハンドル３の取手３２が下位位置、すなわち解錠角度位置を占めている時は、このクレセント錠は不使用状態であって、クレセント片４の第１カムラインａ、ｂ、ｃ及び第２カムラインｄ，ｅ，ｆは共に受け板１の係止部１１と突起１２との間には係入されておらず、換言すれば、クレセント片４と受け板１とは互に干渉することのない非係合状態にあるので、引戸１０、２０はいずれも自由に開閉できる。
【００１９】
ハンドル３の取手３２が上位位置、すなわち施錠角度位置を占めている時は、第１カムラインにおける高位平坦部ａは受け板１の折返し係止部１１に嵌入し、閉鎖位置にある両引戸１０、２０を錠止する（図１、図２参照）。
【００２０】
図１及び図２に示すように上位位置にあるハンドル３の取手３２を、その上位位置から予め定められた中間の所定角度位置まで例えば約６０°下方に向け回動させると、クレセント片４（４１、４２）も同角度を回動し、第１カムラインの高位平坦部ａによる受け板１の係止部１１に対する嵌入状態が解除される一方で、第２カムラインの傾斜部ｅが受け板１の突起１２を押圧するので、一方の引戸１０は他方の引戸２０に対し矢印Ｐ方向に向け相対的に移動し、ここに引戸１０及び／又は２０はわずかに引き違いとなって開放される。
【００２１】
ハンドル３が所定の中間角度位置に留められると、第２カムラインの頂点ｆが突起１２に当接し、又は微小な間隙を隔てて対向し、また、第１カムラインの低位平坦部ｃが係止部１１に当接し又は微小な間隙を隔てて対向することになる。
【００２２】
ここに、クレセント片４は引戸１０、２０の開閉方向について受け板１の係止部１１と突起１２との間で動きが拘束されることになり、引戸１０、２０は通気が可能な半開放状態において不動に拘束される。
【００２３】
なお、この不動に拘束される、という意味は、引戸１０、２０の僅かに引き違いとなった状態が不動に固定されるという意味であって、この引き違いとなって一体に結合されたこれら引戸１０、２０は全体として僅かに水平方向に移動できる。この状態はハンドル３を所定の中間角度位置に留めておく限りはそのまま保持される。
【００２４】
換言すれば、第１カムラインａ、ｂ及び第２カムラインｄ、ｅの範囲では、第１及び第２カムラインをカム部４３、４４の母線方向に連絡する線分はほぼ等長であり、かつ、これらの線分は、ハンドル軸線回りの角度位置の変化によりハンドル軸線方向の位置が変化する。
【００２５】
引戸１０、２０を当初の閉鎖施錠状態に戻すには、ハンドル３を逆に回動させ取手３２の位置を上位位置に戻せばよい。
【００２６】
この際、第１カムラインにおいては、傾斜部ｂが受け板１の係止部１１を引戸１０、２０の閉鎖方向に向け誘導案内し、それに続く高位平坦部ａが折返し係止部１１に嵌入することにより、引戸１０、２０を自動的に閉鎖させると共に、それら引戸１０、２０を施錠状態とする。
【００２７】
なお、ハンドル３の取手２が下位位置にあって、引戸１０、２０が閉鎖解錠状態にある場合、引戸１０、２０を通気可能な半開き状態に係止するには、取手３２を所定の中間角度位置まで例えば１２０°上方に向け回動させてやればよい。
【００２８】
この際、第２カム部４４の別の傾斜部ｇが受け板１の突起１２を誘導案内して、わずかに引戸１０、２０を開放方向Ｐ又はＱに向け移動させた後、第２カムラインの頂点ｆが突起１２に当接し又は微小な間隙を隔てて対向し、また、第１カムラインの低位平坦部ｃが係止部１１に当接し、又は微小な間隙を隔てて対向することになる。
【００２９】
従って、引戸１０、２０は通気が可能な半開放状態において不動に拘束されることになる。また、この状態から引戸１０、２０を当初の閉鎖解錠状態に戻すには、ハンドル３を逆に回動させ取手３２の位置を下位位置に戻せばよい。
【００３０】
但し、この場合、ハンドル３の操作だけではクレセント錠は解錠されるものの、引戸１０、２０は引き続き半開放状態を保つので、引戸１０、２０は直接手で閉鎖させなくてはならない。
【００３１】
なお、カムラインｂ及びｅの範囲では、第１及び第２カムラインをカム部４３、４４の母線方向に連絡する線分はほぼ等長であり、かつ、これらの線分は、ハンドル軸線回りの角度位置の変化によりハンドル軸線方向の位置が変化する。
【００３２】
したがって、これらの線分が折返えし係止部１１及び突起１２の間に係入したとき、換言すれば、ハンドル３が上記所定の角度位置に到達しない内にハンドルの回動を止めたとき、引戸１０、２０の引き違い量は零と最大値との間にある。
【００３３】
この場合にも、引戸を不正に開放しようとする外力は、第１及び第２カム部４３、４４を折返えし係止部１１及び突起１２により強く挟むように作用するのみで、クレセント片４を回動する方向には作用しないから、クレセント錠が解錠されることはない。
【００３４】
この発明のクレセント錠により、引戸１０、２０が半開放状態において不動に拘束された場合、部屋内外の通気が可能となる一方、室外側から引戸１０、２０を更に大きく開放させることは不能とするから、通気状態において室内への不法侵入を防止できることは言うまでもない。
【００３５】
なお、図１及び図２の実施例においては図示はしていないが、台座２とハンドル３との間に、戻しばね、クリック手段又は施解錠機構等を設けることは任意に行い得る。
【００３６】
【発明の効果】
この発明のクレセント錠は、クレセント片の構成を変え、また、受け板に突起を設けただけで、通気のために開放させた半開きの引戸を不動の状態に拘束できるようにしてあるので、機能の割りに全体を小さく製作できるという効果を奏する。
【００３７】
また、本発明においては、閉鎖された引戸を半開放状態とし、かつ、その引戸の半開放状態をそのまま拘束させる操作は、ハンドルを所定の中間角度位置に向け回動させるだけで済み、操作性の点でも優れている。
【図面の簡単な説明】
【図１】この発明のクレセント錠の実施例を示す平面図。
【図２】その側面図。
【図３】図１の実施例から取り外した受け板の側面図。
【図４】図１の実施例から取り外した第１クレセント片を示し、（Ａ）は正面図、（Ｂ）は側面図である。
【図５】図１の実施例から取り外した第２クレセント片を示し、（Ａ）は正面図、（Ｂ）は側面図、（Ｃ）は底面図である。
【図６】受け板、第１クレセント片及び第２クレセント片の組付け状態の概要を示す平面図。
【符号の説明】
１０  引戸
２０  別の引戸
３０  召し合せ部分
１  受け板
１１  折返えし係止部
１２  突起
２  台座
３  ハンドル
４  クレセント片
４３  第１カム部
４４  第２カム部
ａ，ｂ，ｃ  第１カムライン
ｄ．ｅ．ｆ  第２カムライン
【図１】
0004044634.tif 000002
【図２】
0004044634.tif 000003
【図３】
0004044634.tif 000004
【図４】
0004044634.tif 000005
【図５】
0004044634.tif 000006
【図６】
0004044634.tif 000007